(57)【特許請求の範囲】
【請求項１】
メールの作成及び編集を行う作成編集手段と、表示手段と、記憶手段と、操作手段と、を備え、通信回線を介して外部とメールの送信及び受信を行う携帯端末において、
受信メールに関連するメールが未だ送信されていない場合に、当該関連するメールを前記受信メールに関連付けて未送信メールとして前記記憶手段に記憶し、
前記未送信メールを前記表示手段に表示しているときに、前記操作手段による所定の操作に応じて前記未送信メールに関連する受信メールを読み出し、当該受信メールを前記表示手段に表示するように制御する制御手段を備え、
前記制御手段は、前記未送信メールを前記表示手段に表示しているときに、前記操作手段による前記所定の操作と異なる操作に応じて、前記未送信メールに関連する受信メールを前記表示手段に表示することなく前記未送信メールに関連する受信メールに添付されたデータを前記表示手段に表示することを特徴とする携帯端末。
【請求項２】
メールを削除する削除手段を備え、
前記制御手段は、前記表示手段に表示されている前記未送信メールを、前記作成編集手段により編集され、又は前記削除手段により削除されるように制御することを特徴とする請求項１記載の携帯端末。
【請求項３】
前記制御手段は、前記受信メールを前記表示手段に表示しているときに、前記操作手段による単一の操作に応じて前記受信メールに関連する未送信メールを読み出し、当該未送信メールを前記表示手段に表示するように制御し、
前記未送信メールを前記表示手段に表示しているときに、前記操作手段による単一の操作に応じて前記未送信メールに関連する受信メールを読み出し、当該受信メールを前記表示手段に表示するように制御することを特徴とする請求項１に記載の携帯端末。
【請求項４】
前記制御手段は、前記未送信メールを送信したとき、又は前記削除手段により前記未送信メールが削除されたときには、前記未送信メールに関連する前記受信メールを前記表示手段に表示するように制御することを特徴とする請求項２に記載の携帯端末。
【請求項５】
前記制御手段は、前記受信メールに関連する前記未送信メールが複数あるときに、作成された日時又は編集された日時が新しい未送信メールを優先的に読み出し、当該未送信メールを前記表示手段に表示するように制御することを特徴とする請求項１に記載の携帯端末。
【請求項６】
前記制御手段は、前記受信メールに関連する前記未送信メールが複数あり、前記表示手段に表示されている前記未送信メールの中の一の未送信メールが送信され、又は前記削除手段により削除されたときに、前記未送信メールの中の他の未送信メールを前記表示手段に表示するように制御することを特徴とする請求項２に記載の携帯端末。
【請求項７】
前記制御手段は、前記表示手段に表示されている前記他の未送信メールを、前記作成編集手段により編集され、又は前記削除手段により削除されるように制御することを特徴とする請求項６記載の携帯端末。
【発明の詳細な説明】
【技術分野】
【０００１】
本発明は、メールの送受信を行う機能を有する携帯端末に関する。
【背景技術】
【０００２】
携帯端末は、他の端末とメールの送受信を行う機能を有しているものが一般的である。このような携帯端末においては、メールの作成及び編集作業は、新規メールの作成及び編集又は過去に受信されたメールに対する返信メールの作成及び編集により行われている。
【０００３】
ここで、過去に受信されたメール（以下、受信メールという。）に対して直ぐに返信ができない場合には、返信しようと考えていた受信メールが他の受信メールによって埋もれてしまい、当該受信メールを探すのに困難を来たす恐れがある。このような課題を解決するために、返信をしようと考えている受信メールに後で検索する際の目印となる特定の印（マーク）を付加する技術が提案されている（例えば、特許文献１を参照）。
【先行技術文献】
【特許文献】
【０００４】
【特許文献１】特開２０００−３３１７号公報
【発明の概要】
【発明が解決しようとする課題】
【０００５】
しかしながら、このような技術では、ユーザは、返信をしようとしている受信メールを見つけ出すことはできるが、返信メールを作成中にその受信メールの内容を参照したいような場合には、返信メールを未送信メールとして一旦保存しておき、受信メールが格納されているフォルダにアクセスして、そのフォルダの中からその受信メールを探し出して参照し、その後、再び、一旦保存した返信メールを作成する必要がある。このように、従来の技術では、メールの編集に関して操作性が悪く、ユーザに対してサービスの低下につながっていた。
【０００６】
本発明では、上述のような課題に鑑みてなされたものであり、その目的の一つは、簡易な構成によりメールの編集に関して操作性を向上することができる携帯端末を提供することにある。
【課題を解決するための手段】
【０００７】
（１）本発明に係る携帯端末は、上記課題を解決するために、メールの作成及び編集を行う作成編集手段と、表示手段と、記憶手段と、操作手段と、を備え、通信回線を介して外部とメールの送信及び受信を行う携帯端末において、受信メールに関連するメールが未だ送信されていない場合に、当該関連するメールを前記受信メールに関連付けて未送信メールとして前記記憶手段に記憶し、前記未送信メールを前記表示手段に表示しているときに、前記操作手段による所定の操作に応じて前記未送信メールに関連する受信メールを読み出し、当該受信メールを前記表示手段に表示するように制御する制御手段を備え、前記制御手段は、前記未送信メールを前記表示手段に表示しているときに、前記操作手段による前記所定の操作と異なる操作に応じて、前記未送信メールに関連する受信メールを前記表示手段に表示することなく前記未送信メールに関連する受信メールに添付されたデータを前記表示手段に表示することを特徴とする。
【０００８】
（２）本発明では、（１）の携帯端末において、メールを削除する削除手段を備え、前記制御手段は、前記表示手段に表示されている前記未送信メールを、前記作成編集手段により編集され、又は前記削除手段により削除されるように制御することが好ましい。
【０００９】
（３）本発明では、（１）の携帯端末において、前記制御手段は、前記受信メールを前記表示手段に表示しているときに、前記操作手段による単一の操作に応じて前記受信メールに関連する未送信メールを読み出し、当該未送信メールを前記表示手段に表示するように制御し、前記未送信メールを前記表示手段に表示しているときに、前記操作手段による単一の操作に応じて前記未送信メールに関連する受信メールを読み出し、当該受信メールを前記表示手段に表示するように制御することが好ましい。
【００１０】
（４）本発明では、（２）の携帯端末において、前記制御手段は、前記未送信メールを送信したとき、又は前記削除手段により前記未送信メールが削除されたときには、前記未送信メールに関連する前記受信メールを前記表示手段に表示するように制御することが好ましい。
【００１１】
（５）本発明では、（１）乃至（３）の携帯端末において、前記制御手段は、前記受信メールに関連する前記未送信メールが複数あるときに、作成された日時又は編集された日時が新しい未送信メールを優先的に読み出し、当該未送信メールを前記表示手段に表示するように制御することが好ましい。
【００１２】
（６）本発明では、（２）の携帯端末において、前記制御手段は、前記受信メールに関連する前記未送信メールが複数あり、前記表示手段に表示されている前記未送信メールの中の一の未送信メールが送信され、又は前記削除手段により削除されたときに、前記未送信メールの中の他の未送信メールを前記表示手段に表示するように制御することが好ましい。
【００１３】
（７）本発明では、（６）の携帯端末において、前記制御手段は、前記表示手段に表示されている前記他の未送信メールを、前記作成編集手段により編集され、又は前記削除手段により削除されるように制御することが好ましい。
【発明の効果】
【００２３】
本発明によれば、メールの編集に関して操作性を向上することができる携帯端末を提供することができる。
【図面の簡単な説明】
【００２４】
【図１】本発明に係る携帯電話機器の外観を示す斜視図である。
【図２】本発明に係る携帯電話機器が無線基地局を介してネットワークに接続される様子を示す模式図である。
【図３】本発明に係る携帯電話機器の機能を示す機能ブロック図である。
【図４】表示部に表示されるメール表示画面の一例について示す図である。
【発明を実施するための形態】
【００２５】
以下、本発明に係る実施形態の一例について説明する。図１は、本発明に係る外部機器（基地局）と通信を行う携帯端末の一例である携帯電話機器１の外観斜視図である。
【００２６】
図１に例示的に示すように、携帯電話機器１は、フロントケース２ａとリアケース２ｂとにより外面が形成される操作部側筐体部２と、フロントケース３ａとリアケース３ｂとにより外面が形成される表示部側筐体部３と、操作部側筐体部２と表示部側筐体部３とを連結するヒンジ機構４と、を備える。
【００２７】
操作部側筐体部２は、フロントケース２ａの表面側に露出するように配設される操作部１１と音声入力部１２とを有する。操作部１１は、各種設定や電話帳機能やメール機能等の各種機能を作動させるための機能設定操作ボタン１３と、数字や文字が割り当てられ、電話番号入力時やメール作成時等における文字入力時に用いられる入力操作ボタン１４と、各種操作における決定やスクロール等を行う決定操作ボタン１５と、から構成されている。また、操作部側筐体部２の側面には、イヤホンコネクタキャップ１６と、外部機器（基地局）と通信を行うためのインターフェース（図示せず）を覆うキャップ１７とが設けられている。さらに、操作部側筐体部２の下端部には、充電用コネクタ（図示せず）を覆うキャップ１８ａと、一対の充電用接点部１８ｂとが設けられている。なお、音声入力部１２は、携帯電話機器１のユーザが通話時に発した音声を入力するために用いられる。
【００２８】
表示部側筐体部３は、各種情報を表示するための表示部２１と、通話の相手側の音声を出力する音声出力部２２とを有して構成される。また、表示部側筐体部３の上端部には、他の携帯電話装置等との間で赤外線通信を行うための通信部２３が設けられている。
【００２９】
ヒンジ機構４は、操作部側筐体部２と表示部側筐体部３とが相対的に動くようにこれらを連結している。そしてヒンジ機構４により、操作部側筐体部２と表示部側筐体部３とが互いに開いた使用状態（開放状態）と、操作部側筐体部２の表面と表示部側筐体部３の表面とが互いに向き合った格納状態（折畳み状態）とに切り替えることができるように構成されている。
【００３０】
なお、本実施形態においては、携帯端末の一例としてヒンジ機構４を介して操作部側筐体部２と表示部側筐体部３とが相対的に動く、いわゆる折り畳み式の携帯電話機器１を挙げているが、本発明は、折り畳み式ではなく、操作部側筐体部２と表示部側筐体部３とを重ね合わせた状態から一方の筐体を一方向にスライドさせるようにしたスライド式や、重ね合せ方向に沿う軸線を中心に一方の筐体を回転させるようにした回転式や、操作部側筐体部２と表示部側筐体部３とを２軸ヒンジを介して連結したもの、さらには、操作部側筐体部２と表示部側筐体部３とが一つの筐体に配置されたもの（いわゆる、ストレートタイプ）であっても適用可能である。
【００３１】
また、携帯電話機器１（１ａ、１ｂ）は、図２に例示的に示すように、無線基地局１００を介して、ネットワーク１０１と通信するように無線接続されている。
【００３２】
なお、以下の実施形態の説明にあたって、同一構成要件については同一符号を付し、その説明を省略もしくは簡略化する。
【００３３】
［第１実施形態］
本発明に係る携帯電話機器１の第１実施形態の一例について以下に説明する。図３は、本発明に係る携帯電話機器１が有する機能の一例を示す機能ブロック図である。携帯電話機器１は、電子メール（以下では、メールという）の作成及び編集を行う作成編集部３１と、作成編集部３１により作成及び編集したメールを表示する表示部２１と、作成編集部３１により作成及び編集したメールを記憶する記憶部３３と、作成編集部３１により作成及び編集したメールを、ネットワーク１０１を介して外部に送信する送信部３４と、外部からメールを受信する受信部３５と、所定のキー操作が行われる操作部１１と、メールを削除する削除部３７と、作成編集部３１、表示部２１、記憶部３３、送信部３４、受信部３５、操作部１１及び削除部３７に対して所定の制御を行う制御部３８とを備える。
【００３４】
作成編集部３１における「メールの作成」とは、例えば、新規メール、返信メール、転送メール等の新たな作成を行うことをいう。また、作成編集部３１における「メールの編集」とは、例えば、既に作成編集部３１により作成された新規メール、受信メール、返信メール、未送信メール、転送メール等に対して追加、削除、変更等の編集を行うことをいう。
【００３５】
また、制御部３８は、受信部３５により受信した受信メールに関連するメールが未だ送信部３４により送信されていない場合に、当該関連するメールを受信メールに関連付けて未送信メールとして記憶部３３に記憶するように制御する。
【００３６】
ここで、「関連するメール」とは、典型的には、受信メールに対する返信メール、転送メールであり、その他にも特定の受信メール、未送信メール、転送メール等に対して、送信先となるメールアドレスの一部又はメールの件名の一部又はメール本文の一部が重複する部分を有する単数或いは複数のメールであってもよい。
「関連するメールを受信メールに関連付けて記憶する」とは、例えば、関連するメールが返信メール又は転送メールの場合には、この返信メール又は転送メールと元のメールとを相互にリンクさせて記憶部３３に記憶させることをいう。すなわち、返信メール又は転送メールをユーザが閲覧中に簡略化された操作によって元のメールを閲覧でき、また、元のメールをユーザが閲覧中に簡略化された操作によって返信メール又は転送メールを閲覧できる。
或いは、メールのソート機能を利用して、関連するメールに該当するメールを抽出し、抽出されたメール同士を相互にリンクさせて記憶部３３に記憶させることをいう。
【００３７】
また、制御部３８は、受信メールを表示部２１に表示しているときに、操作部１１による所定の操作に応じて受信メールに関連する未送信メールを読み出し、当該未送信メールを表示部２１に表示するように制御する。或いは、制御部３８は、未送信メールを表示部２１に表示しているときに、操作部１１による所定の操作に応じて未送信メールに関連する受信メールを読み出し、当該受信メールを表示部２１に表示するように制御する。
「受信メールに関連する未送信メールを読み出す」とは、例えば、メールのソート機能を利用して、上述の相互のリンクに基づいて受信メールに関連するメールに該当するメールを抽出し、抽出されたメールを読み出すことをいう。また、「未送信メールに関連する受信メールを読み出す」とは、例えば、メールのソート機能を利用して、上述の相互のリンクに基づいて未送信メールに関連するメールに該当するメールを抽出し、抽出されたメールを読み出すことをいう。
【００３８】
このような構成によれば、携帯電話機器１は、表示部２１に受信メール或いは未送信メールが表示されているときに、当該受信メールに関連する未送信メール或いは、当該未送信メールに関連する受信メールを表示部２１に表示することができる。従って、ユーザは、受信メールに関連する未送信メール或いは、未送信メールに関連する受信メールを容易に参照することができる。
【００３９】
また、制御部３８は、表示部２１に表示されている未送信メールを、作成編集部３１により編集され、又は削除部３７により削除されるように制御する構成であっても良い。
【００４０】
このような構成によれば、携帯電話機器１は、表示部２１に表示されている未送信メールを、編集又は削除されるように制御する。従って、ユーザは、未送信メールに関連する受信メールを参照しながら、未送信メールの編集又は削除を行うことができる。
【００４１】
また、制御部３８は、受信メールを表示部２１に表示しているときに、操作部１１による単一の操作（例えば、決定操作ボタン１５を構成する方向キーの押下操作）に応じて受信メールに関連する未送信メールを読み出し、当該未送信メールを表示部２１に表示するように制御する。或いは、制御部３８は、未送信メールを表示部２１に表示しているときに、操作部１１による単一の操作に応じて未送信メールに関連する受信メールを読み出し、当該受信メールを表示部２１に表示するように制御する構成であっても良い。
【００４２】
このような構成によれば、携帯電話機器１は、操作部１１による単一の操作に応じて受信メールに関連するメール又は未送信メールに関連する受信メールを記憶部３３から読み出して、表示部２１に表示できる。従って、ユーザは、受信メールから受信メールに関連するメール、又は未送信メールから未送信メールに関連する受信メールへの表示切り替えを簡易な操作で行うことができる。
【００４３】
また、制御部３８は、送信部３４により未送信メールを送信したとき、又は削除部３７により未送信メールが削除されたときには、未送信メールに関連する受信メールを表示部２１に表示するように制御する構成であっても良い。
【００４４】
このような構成によれば、携帯電話機器１は、未送信メールを送信したとき、又は未送信メールが削除されたときには、未送信メールに関連する受信メールを表示部２１に表示する。従って、ユーザは未送信メールの送信後又は削除後に当該未送信メールに関連する受信メールを容易に参照することができる。
【００４５】
また、制御部３８は、受信メールに関連する未送信メールが複数あるときに、作成された日時又は編集された日時が新しい未送信メールを優先的に読み出し、当該未送信メールを表示部２１に表示するように制御する構成であっても良い。
「優先的に読み出す」とは、例えば、操作部１１での操作に応じて、作成された日時又は編集された日時が新しい未送信メールを順次読み出すことをいう。
【００４６】
このような構成によれば、携帯電話機器１は、受信メールに関連する未送信メールが複数あるときに、作成された日時又は編集された日時が新しい未送信メールを優先的に読み出して、読み出した未送信メールを表示部２１に表示する。従って、ユーザに対して優先度が高いと考えられる、作成された日時又は編集された日時が新しい順に未送信メールを表示部２１に表示することができる。
【００４７】
ここで、受信メールに関連する未送信メールが複数ある場合に、未送信メールを優先的に読み出すときの制御部３８の動作の一例について説明する。制御部３８は、受信メールと関連付けて記憶部３３に記憶された未送信メールを読み出したとき、読み出した未送信メールをソートする。ソートする基準は、未送信メールの最終作成日時、未送信メールの最終編集日時、未送信メールのタイトル、未送信メールのメールアドレス等であり、制御部３８は、未送信メールをソートした順で優先的に読み出し、表示部２１に表示する。
【００４８】
また、制御部３８は、受信メールに関連する未送信メールが複数あり、表示部２１に表示されている未送信メールの中の一の未送信メールが送信部３４により送信され、又は削除部３７により削除されたときに、未送信メールの中の他の未送信メールを表示部２１に表示するように制御する構成であっても良い。
【００４９】
このような構成によれば、携帯電話機器１は、複数ある未送信メールの中の一の未送信メールが送信される、又は削除されたときに、複数ある未送信メールの中の他の未送信メールを表示部２１に表示することができる。従って、一の未送信メールの編集又は削除が終了した後、他の未送信メールを容易に参照することができる。
【００５０】
また、制御部３８は、表示部２１に表示されている他の未送信メールを、作成編集部３１により編集され、又は削除部３７により削除されるように制御する構成であっても良い。
【００５１】
このような構成によれば、携帯電話機器１は、表示部２１に表示されている他の未送信メールを編集又は削除されるように制御できる。従って、ユーザは複数ある未送信メールの中の一の未送信メールの編集又は削除が終了した後、他の未送信メールの編集又は削除を容易に行うことができる。
【００５２】
ここで、未送信メールに関連する受信メール又は転送メールにおいて、所定のデータが添付ファイルとして、添付されている場合がある。
この場合、制御部３８は、未送信メールを表示部２１に表示しているときに、操作部１１による所定の操作とは異なる簡略化された添付データ表示操作に応じて、受信メール又は転送メールに添付された所定のデータを表示部２１に表示させる。
【００５３】
具体的には、制御部３８は、未送信メールに関連する受信メールにおいて、所定のデータとして画像データが添付されている場合、添付データ表示操作に応じて受信メールに添付された画像データを表示部２１に表示させる。なお、操作部１１において、添付データ表示操作を行うキーは、所定の操作を行うキーとは異なるキーに割り当てられているものとする。
【００５４】
「所定のデータ」とは、未送信メールに関連する受信メールや転送メールにおいて、この受信メールに添付されたデータである。所定のデータとしては、画像データ、動画データ、テキストデータ、音声データ等が例示される。所定のデータの個数は、特に制限されず、一又は複数個のデータが未送信メールに関連する受信メール又は転送メールに添付される。
【００５５】
このような構成によれば、未送信メールが表示部２１に表示されている場合に、未送信メールに関連する受信メール又は転送メールを表示することなく、当該受信メール又は転送メールに添付された所定のデータを簡易な操作により参照することができる。従って、本実施形態の携帯電話機器１によれば、未送信メールに関連する受信メール又は転送メールにおける操作性を向上させることができる。
【００５６】
［第２実施形態］
次に、本発明に係る携帯電話機器１の第２実施形態の一例について説明する。以下、第２実施形態における携帯電話機器１について第１実施形態における携帯電話機器１と異なる点を中心に説明し、他の説明は省略する。
【００５７】
第２実施形態では、記憶部３３は、受信部３５により受信した一の受信メールに関連する複数のメールが未だ送信部３４により送信されていない場合に、当該関連する複数のメールを受信メールに関連付けて未送信メール群として記憶する。
「未送信メール群として記憶する」とは、例えば、関連する複数のメールを受信メールに関連付けて、一のフォルダに記憶することをいう。
【００５８】
また、制御部３８は、未送信メール群の中の一の未送信メールが表示部２１に表示されており、操作部１１により所定の操作が行われたときに、未送信メール群の中の他の未送信メールを読み出し、当該他の未送信メールを表示部２１に表示するように制御する。
【００５９】
このような構成によれば、携帯電話機器１は、未送信メール群の中の一の未送信メールが表示部２１に表示されており、操作部１１により所定の操作が行われたときに、未送信メール群の中の他の未送信メールを読み出して表示部２１に表示する。従って、ユーザは、一の未送信メールに関連する他の未送信メールを容易に参照することができる。
【００６０】
また、制御部３８は、表示部２１に表示されている他の未送信メールを、作成編集部３１により編集され、又は削除部３７により削除されるように制御する構成であっても良い。
【００６１】
このような構成によれば、携帯電話機器１は、表示部２１に表示されている未送信メール群の中の他の未送信メールを、編集又は削除することができる。従って、ユーザは一の未送信メールを参照しながら、他の未送信メールの編集又は削除を行うことができる。
【００６２】
また、制御部３８は、一の未送信メールを表示部２１に表示しているときに、操作部１１による単一の操作（例えば、決定操作ボタン１５を構成する方向キーの押下操作）に応じて他の未送信メールを読み出し、当該他の未送信メールを表示部２１に表示するように制御する構成であっても良い。
【００６３】
このような構成によれば、携帯電話機器１は、一の未送信メールを表示部２１に表示しているときに、操作部１１による単一の操作に応じて他の未送信メールを読み出し、表示部２１に表示する。従って、ユーザは一の未送信メールから他の未送信メールへの表示切り替えを簡易な操作で行うことができる。
【００６４】
また、制御部３８は、一の未送信メールを表示部２１に表示しているときに、操作部１１による単一の操作に応じて他の未送信メールを読み出し、当該他の未送信メールを表示部２１に表示し、送信部３４により当該他の未送信メールを送信したとき、又は削除部３７により当該他の未送信メールが削除されたときには、一の未送信メールを表示部２１に表示するように制御する構成であっても良い。
【００６５】
このような構成によれば、携帯電話機器１は、一の未送信メールを表示部２１に表示しているときに、操作部１１による単一の操作に応じて他の未送信メールを読み出して、表示部２１に表示する。また、当該他の未送信メールを送信又は削除したときには、操作部１１による単一の操作を行う前に表示部２１に表示されていた一の未送信メールを表示部２１に表示する。従って、ユーザは他の未送信メールの送信後又は削除後に当該他の未送信メールに関連する一の未送信メールを容易に参照することができる。
【００６６】
また、制御部３８は、他の未送信メールが複数あるときに、作成された日時又は編集された日時が新しい未送信メールを優先的に読み出し、当該未送信メールを表示部２１に表示するように制御する構成であっても良い。
【００６７】
このような構成によれば、携帯電話機器１は、一の未送信メールに関連する他の未送信メールが複数あるときに、作成された日時又は編集された日時が新しい未送信メールを優先的に読み出して、表示部２１に表示する。従って、ユーザに対して優先度が高いと考えられる、作成された日時又は編集された日時が新しい順に他の未送信メールを表示部２１に表示することができる。
【００６８】
また、制御部３８は、他の未送信メールが複数あり、その中の一の未送信メールが表示部２１に表示され、表示部２１に表示されている一の未送信メールが、送信部３４により送信され、又は削除部３７により削除されたときに、表示部２１に表示されていない他の未送信メールを表示部２１に表示するように制御する構成であっても良い。
【００６９】
このような構成によれば、携帯電話機器１は、一の未送信メールに関連する他の未送信メールが複数あり、その中の一の未送信メールが表示部２１に表示され、表示されている一の未送信メールが送信又は削除されたときに、表示されていない他の未送信メールを表示部２１に表示する。従って、ユーザは一の未送信メールの送信後又は削除後に、他の未送信メールを容易に参照することができる。
【００７０】
また、制御部３８は、表示部２１に表示されている他の未送信メールを作成編集部３１により編集され、又は削除部３７により削除されるように制御する構成であっても良い。
【００７１】
このような構成によれば、携帯電話機器１は、表示部２１に表示されている一の未送信メールに関連する他の未送信メールを編集又は削除されるように制御する。従って、ユーザは複数ある他の未送信メールの中の、一の未送信メールの編集又は削除が終了した後、他の未送信メールの編集又は削除を容易に行うことができる。
【００７２】
ここで、上述した第１実施形態及び第２実施形態に係る携帯電話機器１の表示部２１に表示されるメール表示画面の切り替わる様子の一例について図４を参照しながら説明する。
【００７３】
図４に示すように、表示画面Ｌは、受信メールの閲覧画面であり、表示画面Ｍは、表示画面Ｌに表示されている受信メールに関連する未送信メールの編集画面であり、表示画面Ｒは、表示画面Ｍに表示されている未送信メールに関連する他の未送信メールの編集画面である。
【００７４】
ユーザは、表示画面Ｌで受信メールを閲覧しているときに、単一の操作の一例として決定操作ボタン１５を構成する例えば右方向キー（以下、右方向キーという）を押下操作する。これにより表示画面Ｍに切り替わるため、受信メールに関連する未送信メールを閲覧し、この未送信メールを編集又は削除することができる。ここで、画面下端部中央の「編集」を選択すると編集用のサブメニューが表示され、表示されたサブメニューの中から「送信」、「編集」、「削除」等を選択することで受信メール又は未送信メールの送信、編集、削除等を行うことができる。
【００７５】
また、表示画面Ｍで未送信メールを閲覧又は編集しているときに、単一の操作の一例として決定操作ボタン１５を構成する例えば左方向キー（以下、左方向キーという）を押下操作する。これにより表示画面Ｌに切り替わるため、未送信メールに関連する受信メールを閲覧し、この受信メールを編集又は削除することができる。そして、右方向キーを押下操作することにより表示画面Ｒに切り替わるため、未送信メールに関連する他の未送信メールを閲覧し、この他の未送信メールを編集又は削除することができる。なお、受信メールを編集することを選択すると、新たに関連メールとしての未送信メールが作成される。
【００７６】
また、表示画面Ｒで未送信メールを閲覧又は編集しているときに、左方向キーを押下操作することにより表示画面Ｍに切り替わるため、他の未送信メールに関連する未送信メールを閲覧し、この未送信メールを編集又は削除することができる。従って、受信メールを閲覧中に、右方向キーを押下することにより受信メールに関連する関連メール中で最新の未送信メールを表示できる。この未送信メールを表示中に、再度右方向キーを押下することにより同関連メール中で最新の未送信メールの次に編集日時が新しい未送信メールを表示できる。或いは、この未送信メールを表示中に、左方向キーを押下することにより先の受信メールを表示できる。
【００７７】
また、最新の未送信メールの次に編集日時が新しい未送信メールを表示した後に、左方向キーを押下すると、先の最新の未送信メールを表示できる。その後、この最新の未送信メールを表示中に、さらに左方向キーを押下すると、上述と同様に、受信メールを表示する。
【００７８】
このように、受信メールと、未送信メール同士の表示順位との関係で、受信メールから、表示を最優先すべき未送信メールへと表示変更でき、またその逆、即ち、最優先すべき未送信メールから、表示を受信メールへと表示変更もできる。さらに、表示の優先順位が隣接する未送信メール間でも可能である。
【００７９】
なお、上述の実施形態では、制御部３８は、未送信メールに関連する受信メール及び他の未送信メールについて関連付けを行って記憶部３３に記憶するように制御したが、これに限られない。例えば、制御部３８は、受信メールに関連する他の受信メールについて関連付けを行って記憶部３３に記憶するように制御する。そして、受信メールを表示部２１に表示しているときに、操作部１１による所定の操作に応じて受信メールに関連する他の受信メールを読み出し、当該他の受信メールを表示部２１に表示するように制御する。或いは、他の受信メールを表示部２１に表示しているときに、操作部１１による所定の操作に応じて他の受信メールに関連する受信メールを読み出し、当該受信メールを表示部２１に表示するように制御する構成であっても良い。
【００８０】
このような構成によれば、携帯電話機器１は、表示部２１に受信メールが表示されているときに、当該受信メールに関連する他の受信メールを表示部２１に表示することができる。従って、ユーザは、受信メールに関連する他の受信メールを容易に参照することができる。
【００８１】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
なお、上述した実施形態では、表示部２１に表示されるメール表示画面の一例について、未送信メールと受信メールとが切り替えて表示される例を説明したが、本発明はこれに制限されない。例えば、制御部３８は、表示部２１に未送信メールが表示されているとき、未送信メールに関連する受信メールを表示部２１にポップアップとして表示するように構成してもよい。
同様に、制御部３８は、表示部２１に受信メールが表示されているとき、受信メールに関連する未送信メールを表示部２１にポップアップとして表示するように構成してもよい。
この場合、表示部２１にポップアップが表示される位置は、ポップアップが表示部２１における未送信メール又は受信メールに重畳する位置であってもよい。または、表示部２１にポップアップが表示される位置は、表示部２１における未送信メール又は受信メールが表示されていない領域内であってもよい。
【００８２】
また、制御部３８は、ポップアップ表示の所定の位置にスクロールバーを表示させる。そして、制御部３８は、表示部２１にポップアップが表示されているときに、このスクロールバーが操作されることにより、ポップアップに表示されている情報をスクロールして表示させてもよい。
【符号の説明】
【００８３】
１  携帯電話機器（携帯端末）
１１  操作部
２１  表示部
３１  作成編集部
３３  記憶部
３４  送信部
３５  受信部
３７  削除部
３８  制御部
【図１】
0005389494.tif 000002
【図２】
0005389494.tif 000003
【図３】
0005389494.tif 000004
【図４】
0005389494.tif 000005